(57)【特許請求の範囲】
【請求項１】
フォークリフトのフォークに物品を吊り下げるためのフォークリフト用吊り具において、
略矩形に形成された棒状の挟持腕を有する挟持部材Ａと、
略矩形に形成された棒状の挟持腕を有する挟持部材Ｂとを備え、
該挟持部材Ａと該挟持部材Ｂとが、それぞれの下端部で該挟持腕の矩形の内側が対向するように回動可能に軸部材で軸支され、
該挟持部材Ａと該挟持部材Ｂとが扇状に回動することで、該挟持部材Ａの挟持腕と該挟持部材Ｂの挟持腕とで、該フォークに握着し、
さらに、該挟持部材Ａの軸支部分の軸方向の両側に該挟持部材Ｂを備え、
該挟持部材Ａの軸支部分の軸方向の両面に傾斜した摺動面を有し、
該挟持部材Ｂの軸支部分の軸方向の一方の面に、該挟持部材Ａの摺動面と傾斜の向きが異なる傾斜した摺動面を有し、
該挟持部材Ａの摺動面と該挟持部材Ｂの摺動面とが当接しており、
該挟持部材Ａと該挟持部材Ｂとの間隔を伸縮させると、該挟持部材Ａと該挟持部材Ｂとが回動して、該挟持部材Ａの挟持腕と該挟持部材Ｂの挟持腕との幅が拡縮し、
該挟持部材Ａと該挟持部材Ｂとが回動すると、該２つの挟持部材Ｂの間隔が伸縮することを特徴とするフォークリフト用吊り具。
【請求項２】
前記２つの挟持部材Ｂの間に、弾性部材が張架され、
該２つの挟持部材Ｂが互いに離間する方向に付勢されていることを特徴とする請求項１記載のフォークリフト用吊り具。
【請求項３】
前記挟持部材Ａの挟持腕と前記挟持部材Ｂの挟持腕の少なくとも一方がフック状に湾曲していることを特徴とする請求項１又は請求項２記載のフォークリフト用吊り具。
【発明の詳細な説明】
【技術分野】
【０００１】
本発明は、フォークリフトのフォークに装着しフォークリフトで物品を吊るためのフォークリフト用吊り具に関する。
【背景技術】
【０００２】
従来より、フォークリフトのフォークに吊りベルトやワイヤを掛け、物品を吊り下げることが行われている。しかし、フォークに直接吊りベルトやワイヤを掛けた場合、ずれたり外れたり切れたりすることがあり、危険を伴っていた。そこで、例えば、特許文献１に示されるような吊り具が提案されている。
【０００３】
特許文献１の吊り具は、揺動する複数の枠体にフォークを通して、枠体をテコの原理でフォークに固定するものである。
【先行技術文献】
【特許文献】
【０００４】
【特許文献１】特開２００６−２１９２９２号公報
【発明の概要】
【発明が解決しようとする課題】
【０００５】
しかしながら、従来の吊り具では、フォークに通すことから、フォークが長い場合に吊り具の着脱が煩雑である。また、フォークリフトのフォーク自体が揺動する性格を有しており、フォークの動作次第では、吊り具がフォークから外れてしまう可能性がある。
【０００６】
本発明は、このような事情に鑑みてなされたもので、フォークへの着脱が容易で、フォークから脱落しにくいフォークリフト用吊り具を提供することにある。
【課題を解決するための手段】
【０００７】
請求項１記載のフォークリフト用吊り具は、略矩形に形成された棒状の挟持腕を有する挟持部材Ａと、略矩形に形成された棒状の挟持腕を有する挟持部材Ｂとを備え、挟持部材Ａと挟持部材Ｂとが、それぞれの下端部で挟持腕の矩形の内側が対向するように回動可能に軸部材で軸支され、挟持部材Ａと挟持部材Ｂとが扇状に回動することで、挟持部材Ａの挟持腕と挟持部材Ｂの挟持腕とで、フォークに握着し、さらに、挟持部材Ａの軸支部分の軸方向の両側に挟持部材Ｂを備え、挟持部材Ａの軸支部分の軸方向の両面に傾斜した摺動面を有し、挟持部材Ｂの軸支部分の軸方向の一方の面に、挟持部材Ａの摺動面と傾斜の向きが異なる傾斜した摺動面を有し、挟持部材Ａの摺動面と挟持部材Ｂの摺動面とが当接しており、挟持部材Ａと挟持部材Ｂとの間隔を伸縮させると、挟持部材Ａと挟持部材Ｂとが回動して、挟持部材Ａの挟持腕と挟持部材Ｂの挟持腕との幅が拡縮し、挟持部材Ａと挟持部材Ｂとが回動すると、２つの挟持部材Ｂの間隔が伸縮することを特徴とする。
【０００８】
請求項２記載のフォークリフト用吊り具は、２つの挟持部材Ｂの間に、弾性部材が張架され、２つの挟持部材Ｂが互いに離間する方向に付勢されていることを特徴とする。
【０００９】
請求項３記載のフォークリフト用吊り具は、挟持部材Ａの挟持腕と挟持部材Ｂの挟持腕の少なくとも一方がフック状に湾曲していることを特徴とする。
【発明の効果】
【００１２】
請求項１の発明によれば、挟持部材Ａと挟持部材Ｂとが扇状に回動することで、挟持部材Ａの挟持腕と挟持部材Ｂの挟持腕とで、フォークに握着することから、フォークの長さに拘わらず任意の位置に容易に装着可能である。また、挟持部材Ａと挟持部材Ｂとが回動すると、２つの挟持部材Ｂの間隔が伸縮することで、フォークリフト用吊り具の緩みを防止でき、より確実に装着が可能となる。
【００１３】
請求項２の発明によれば、２つの挟持部材Ｂの間に、弾性部材が張架され、２つの挟持部材Ｂが互いに離間する方向に付勢されていることから、フォークから取り外す場合に、２つの挟持部材Ｂを離間させやすく、容易に取り外しができる。
【００１４】
請求項３の発明によれば、挟持部材Ａの挟持腕と挟持部材Ｂの挟持腕の少なくとも一方がフック状に湾曲していることから、フォークに引っ係りやすく、脱落を防止することができる。
【図面の簡単な説明】
【００１６】
【図１】本発明に係るフォークリフト用吊り具の一例を示す正面図である。
【図２】同フォークリフト用吊り具の右側面図である。
【図３】同フォークリフト用吊り具の左側面図である。
【図４】同フォークリフト用吊り具の動作を示す説明図である。
【図５】同フォークリフト用吊り具の動作を示す正面図である。
【図６】同フォークリフト用吊り具の動作を示す右側面図である。
【図７】同フォークリフト用吊り具の動作を示す左側面図である。
【発明を実施するための形態】
【００１７】
以下、本発明の形態について図面を参照しながら具体的に説明する。図１は、本発明に係るフォークリフト用吊り具の一例を示す正面図である。図２は、同フォークリフト用吊り具の右側面図である。図３は、同フォークリフト用吊り具の左側面図である。図４は、同フォークリフト用吊り具の動作を示す説明図である。図５は、同フォークリフト用吊り具の動作を示す正面図である。図６は、同フォークリフト用吊り具の動作を示す右側面図である。図７は、同フォークリフト用吊り具の動作を示す左側面図である。
【００１８】
図におけるフォークリフト用吊り具１は、フォークリフトのフォーク４に装着しフォークリフトで物品を吊るためのものである。フォークリフト用吊り具１は、略く字状の挟持部材Ａ２０と、２本の略フック状の挟持部材Ｂ３０，４０と、その挟持部材Ａ２０と挟持部材Ｂ３０，４０とを回動可能に軸支する軸部材であるボルト１４等から構成されている。
【００１９】
挟持部材Ａ２０は、下端にリング状の回動軸部２４を備え、その回動軸部２４から上方に丸棒状の挟持腕２２が伸びている。挟持腕２２は、略く字状に矩形に形成されている。挟持部材Ｂ３０，４０は、フック状に矩形に形成された挟持腕３２，４２を備え、その下端にリング状の回動軸部３４，４４を備えている。そして、挟持部材Ａ２０の回動軸部２４の両側にそれぞれ挟持部材Ｂ３０と挟持部材Ｂ４０とが添えられ、ボルト１４が挟持部材Ｂ４０の回動軸部４４、挟持部材Ａ２０の回動軸部２４そして挟持部材Ｂ３０の回動軸部３４を貫通することにより、挟持部材Ａ２０と挟持部材Ｂ３０，４０とが扇状に回動するように連結されている。
【００２０】
尚、挟持部材Ａ２０の軸支部分の軸方向の回動軸部２４の両面にブロック状の摺動部２６，２７を備えている。この摺動部２６，２７は、ナットを回動軸部２４と同軸で設けたような形状で、挟持部材Ｂ３０，４０に対向する面に、３つの同一方向に均等に傾斜する摺動面２６ａ，２６ｂ，２６ｃ，２７ａ，２７ｂ，２７ｃが切削されている。摺動部２６の傾斜面２６ａ，２６ｂ，２６ｃは、摺動部２６側から見て反時計回りに切り込まれた傾斜となっており、摺動部２７の傾斜面２７ａ，２７ｂ，２７ｃは、摺動部２７側から見て時計回りに切り込まれた傾斜となっている。
【００２１】
また、挟持部材Ｂ３０，４０の軸支部分の軸方向の回動軸部３４，４４の挟持部材Ａ２０の側には、ブロック状の摺動部３６，４６を備えている。この摺動部３６，４６は、ナットを回動軸部３６，４６と同軸で設けたような形状で、挟持部材Ａ２０に対向する面に、３つの同一方向に均等に傾斜する摺動面４６ａ，４６ｂ，４６ｃが切削されている。摺動部３６の傾斜面は、摺動部３６側から見て時計回りに切り込まれた傾斜となっており、摺動部４６の傾斜面４６ａ，４６ｂ，４６ｃは、摺動部４６側から見て反時計回りに切り込まれた傾斜となっている。そして、挟持部材Ａ２０の摺動面２６ａ，２６ｂ，２６ｃと挟持部材Ｂ４０の摺動面４６ａ，４６ｂ，４６ｃとが当接しており、挟持部材Ａ２０の摺動面２７ａ，２７ｂ，２７ｃと挟持部材Ｂ３０の摺動面とが当接している。
【００２２】
また、挟持部材Ｂ３０の回動軸部３４から突出したボルト１４の端部には、スプリング１６が挿嵌されており、ボルト１４の最端部にナット１０が螺合されている。このナット１０の側面を貫通するように、シャフト１２が設けられている。
【００２３】
尚、挟持部材Ａ２０の回動軸部２４の下方には、厚板状の吊り下部２８が設けられ、シャックル８ａ，８ｂを介して物品を吊すフック６が取り付け可能になっている。
【００２４】
また、挟持部材Ｂ３０の挟持腕３２と挟持部材Ｂ４０の挟持腕４２とのそれぞれの下部の間に、連結軸５０，５２が突出しており、挟持部材Ｂ３０と挟持部材Ｂ４０との間隔が伸縮可能に連結されている。尚、図示していないが、連結軸５０が連結軸５２に嵌り込む構造で、連結軸５２の内部に弾性部材（例えばスプリング）が設けられており、挟持部材Ｂ３０と挟持部材Ｂ４０とが離間する方向に付勢されている。
【００２５】
次に、フォークリフト用吊り具１のフォーク４への着脱を説明する。まず、ナット１０を緩め、図５、図６及び図７に示すように、挟持部材Ａ２０と挟持部材Ｂ３０，４０とが、開いた状態から説明する。この図５に示す状態で、挟持部材Ａ２０と挟持部材Ｂ３０，４０との間にフォーク４が来るように配置し、シャフト１２を回してナット１０をボルト１４に締め込んでいく。すると、挟持部材Ａ２０に対して挟持部材Ｂ３０，４０とが押しつけられた状態になる。挟持部材Ａ２０の摺動面２６ａ，２６ｂ，２６ｃと挟持部材Ｂ４０の摺動面４６ａ，４６ｂ，４６ｃとが摺り合わされ、傾斜の向きに沿って、挟持部材Ａ２０と挟持部材Ｂ４０が、お互いの挟持腕２２と挟持腕４２とを閉じる方向に回動を始める。挟持腕Ｂ３０も同様に、挟持部材Ａ２０の摺動面２７ａ，２７ｂ，２７ｃと挟持部材Ｂ３０の摺動面とが摺り合わされ、挟持部材Ａ２０と挟持部材Ｂ３０が、お互いの挟持腕２２と挟持腕３２とを閉じる方向に回動を始める。このとき、挟持腕Ｂ３０と挟持腕Ｂ４０とが、摺動面２６ａ，２６ｂ，２６ｃと摺動面４６ａ，４６ｂ，４６ｃ、摺動面２７ａ，２７ｂ，２７ｃと挟持部材Ｂ３０の摺動面の傾斜に沿って、互いに接近しつつ回動する。
【００２６】
そして、図１、図２及び図３に示すように、挟持部材Ａ２０と挟持部材Ｂ３０，４０とが扇状に回動することで、挟持部材Ａ２０の挟持腕２２と挟持部材Ｂ３０，４０の挟持腕３２，４２とで、フォーク４に握着することになる。尚、ナット１０と挟持部材Ｂ３０の回動軸部３４との間にスプリング１６が挿嵌されているため、適度なテンションで挟持部材Ａ２０の摺動面２６ａ，２６ｂ，２６ｃと挟持部材Ｂ４０の摺動面４６ａ，４６ｂ，４６ｃとが摺り合わされ、また挟持部材Ａ２０の摺動面２７ａ，２７ｂ，２７ｃと挟持部材Ｂ３０の摺動面とが摺り合わされ、それぞれがスムーズに回動する。
【００２７】
次に、フォークリフト用吊り具１をフォーク４から取り外す場合には、図１、図２及び図３に示す状態から、シャフト１２を回してナット１０を緩めていく。すると、挟持部材Ａ２０の挟持腕２２と挟持部材Ｂ３０，４０の挟持腕３２，４２が、自重でそれぞれ左右に回動し、挟持腕２２と挟持腕３２，４２との間隔が開いていく。それと同時に、今度は、先ほどとは反対方向に、挟持部材Ａ２０の摺動面２６ａ，２６ｂ，２６ｃと挟持部材Ｂ４０の摺動面４６ａ，４６ｂ，４６ｃとが逆方向に摺り合わされ、傾斜の向きに沿って、挟持部材Ａ２０と挟持部材Ｂ４０が、お互いの挟持腕２２と挟持腕４２とを開く方向に回動を始める。挟持腕Ｂ３０も同様に、挟持部材Ａ２０の摺動面２７ａ，２７ｂ，２７ｃと挟持部材Ｂ３０の摺動面とが逆方向に摺り合わされ、挟持部材Ａ２０と挟持部材Ｂ３０が、お互いの挟持腕２２と挟持腕３２とを開く方向に回動を始める。そして、先ほどとは反対に、挟持腕Ｂ３０と挟持腕Ｂ４０とが、摺動面２６ａ，２６ｂ，２６ｃと摺動面４６ａ，４６ｂ，４６ｃ、摺動面２７ａ，２７ｂ，２７ｃと挟持部材Ｂ３０の摺動面の傾斜に沿って、互いに離間しつつ回動する。挟持腕Ｂ３０と挟持腕Ｂ４０との間には、図示しない弾性部材が設けられているので、スムーズに離間することになる。
【００２８】
このように、ナット１０を緩めることで、図１、図２及び図３に示すように、挟持部材Ａ２０と挟持部材Ｂ３０，４０とが扇状に回動して挟持部材Ａ２０の挟持腕２２と挟持部材Ｂ３０，４０の挟持腕３２，４２とで、フォーク４に握着していた状態から、挟持部材Ａ２０の挟持腕２２と挟持部材Ｂ３０，４０の挟持腕３２，４２とが開いて、フォークリフト用吊り具１をフォーク４から取り外すことができるようになる。
【００２９】
以上のような構成の本実施の形態におけるフォークリフト用吊り具１によれば、挟持部材Ａ２０と挟持部材Ｂ３０，４０とが扇状に回動することで、挟持部材Ａ２０の挟持腕２２と挟持部材Ｂ３０，４０の挟持腕３２，４２とで、フォーク４に握着することから、フォーク４の長さに拘わらず任意の位置に容易に装着可能である。また、挟持部材Ａ２０と挟持部材Ｂ３０，４０とが回動すると、２つの挟持部材Ｂ３０，４０の間隔が伸縮することで、フォークリフト用吊り具１の緩みを防止でき、より確実に装着が可能となる。
【００３０】
さらに、２つの挟持部材Ｂ３０，４０の間に、図示しない弾性部材を張架することで、２つの挟持部材Ｂ３０，４０が互いに離間する方向に付勢されていることから、フォーク４から取り外す場合に、２つの挟持部材Ｂ３０，４０を離間させやすく、容易に取り外しができる。
【００３１】
また、挟持腕２２，３２，４２の形状は本実施の形態のものに限定されないが、挟持腕２２，３２，４２のいずれかをフック状に湾曲させることで、フォーク４に引っ係りやすくなり、脱落を防止することができる。
【００３２】
尚、挟持部材Ａ２０の摺動部２６，２７及び挟持部材Ｂ３０，４０の摺動部３６，４６の形状により限定されるものではなく、互いに当接して摺り動いて回動する構造であればよい。
【産業上の利用可能性】
【００３３】
以上のように、本発明によれば、フォークへの着脱が容易で、フォークから脱落しにくいフォークリフト用吊り具を提供することができる。
【符号の説明】
【００３４】
１・・・・・フォークリフト用吊り具
４・・・・・フォーク
６・・・・・フック
８ａ・・・・シャックル
８ｂ・・・・シャックル
１０・・・・ナット
１２・・・・シャフト
１４・・・・ボルト
１６・・・・スプリング
２０・・・・挟持部材Ａ
２２・・・・挟持腕
２４・・・・回動軸部
２６・・・・摺動部
２６ａ・・・摺動面
２６ｂ・・・摺動面
２６ｃ・・・摺動面
２７・・・・摺動部
２７ａ・・・摺動面
２７ｂ・・・摺動面
２７ｃ・・・摺動面
２８・・・・吊り下部
３０・・・・挟持部材Ｂ
３２・・・・挟持腕
３４・・・・回動軸部
３６・・・・摺動部
４０・・・・挟持部材Ｂ
４２・・・・挟持腕
４４・・・・回動軸部
４６・・・・摺動部
４６ａ・・・摺動面
４６ｂ・・・摺動面
４６ｃ・・・摺動面
５０・・・・連結軸
５２・・・・連結軸
【図１】
0005846783.tif 000002
【図２】
0005846783.tif 000003
【図３】
0005846783.tif 000004
【図４】
0005846783.tif 000005
【図５】
0005846783.tif 000006
【図６】
0005846783.tif 000007
【図７】
0005846783.tif 000008